(57)【特許請求の範囲】
【請求項１】
少なくとも一つの電気的コンポーネント（５）を備えるアクチュエータ（６）によって作動可能な少なくとも一つの接続要素（３，４）を有するトランスミッション装置（１）であって、その際、電気的コンポーネント（５）がトランスミッション軸（７）と接続され、運転中にトランスミッション軸（７）の回転数で回転し、および電気的伝達装置（８）によってトランスミッション装置（１）の別のコンポーネントと相互作用関係にあり、およびその際、電気的コンポーネント（５）によって、接続要素（３，４）を作動させるための液圧的作動圧力が発生可能であるトランスミッション装置において、トランスミッション装置（１）のコンポーネント、および、トランスミッション軸（７）と接続される少なくとも一つの電気的コンポーネント（５）の間で、少なくとも電気的エネルギーが、伝達装置（８）によって誘導的に交換可能であり、電気的コンポーネント（５）が、ポンプ装置（９Ａ，９Ｂ）を駆動する電気的機械（５Ａ，５Ｂ）を含んでおり、および、アクチュエータ（６）が、液圧フルードリザーバー（１０Ａ，１０Ｂ）を備えており、この液圧フルードリザーバーが、接続要素（３，４）の圧力バランス室（２７）と相互作用関係にもたらされることが可能であることを特徴とするトランスミッション装置。
【請求項２】
別のコンポーネントがハウジングに固定されて設けられていることを特徴とする請求項１に記載のトランスミッション装置。
【請求項３】
ポンプ装置（９Ａ，９Ｂ）が、トランスミッション設備（１５，１６）によって、電気的機械（５Ａ，５Ｂ）と接続されていることを特徴とする請求項１または２に記載のトランスミッション装置。
【請求項４】
ポンプ装置（９Ａ，９Ｂ）が、ピストン要素室（１７）内で軸方向に摺動可能なピストン要素（１８Ａ，１８Ｂ）を備え、このピストン要素が、駆動力変換装置（１９）によって、接続要素（３，４）のための作動圧力を供給する状況で作動可能であり、前記駆動力変換装置の領域において、電気的機械（５Ａ，５Ｂ）の回転駆動力が、ピストン要素（１８Ａ，１８Ｂ）の変換的駆動動作へと変換可能であることを特徴とする請求項１から３のいずれか一項に記載のトランスミッション装置。
【請求項５】
駆動力変換装置（１９）がスピンドル・ナット構造として形成されていることを特徴とする請求項４に記載のトランスミッション装置。
【請求項６】
接続要素（３，４）のピストン圧力室（２３，２４）が、作動圧力でもって付勢可能であることを特徴とする請求項１から５のいずれか一項に記載のトランスミッション装置。
【請求項７】
液圧フルードリザーバー（１０Ａ，１０Ｂ）は、ピストン要素室（１７）が少なくとも圧力を有さない運転状態の近傍にあるとき、ピストン要素室（１７）と相互作用関係にもたらされることが可能であることを特徴とする請求項４から６のいずれか一項に記載のトランスミッション装置。
【請求項８】
圧力バランス室（２７）が、別の接続要素（３，４）に付設されていることを特徴とする請求項１から７のいずれか一項に記載のトランスミッション装置。
【請求項９】
アクチュエータ（６）が、力センサーまたは圧力センサーによって形成されていることを特徴とする請求項１から８のいずれか一項に記載のトランスミッション装置。
【請求項１０】
伝達装置（８）が、接続要素（３，４）の内部に設けられていることを特徴とする請求項１から９のいずれか一項に記載のトランスミッション装置。
【請求項１１】
別のコンポーネントと電気的コンポーネント（５）の間のデータの伝達が、誘導的に、容量性に、または光学的に行われることを特徴とする請求項１から１０のいずれか一項に記載のトランスミッション装置。
【請求項１２】
少なくとも電気的コンポーネントと接続要素の間に、熱隔離装置が設けられていることを特徴とする請求項１から１１のいずれか一項に記載のトランスミッション装置。
【発明の詳細な説明】
【技術分野】
【０００１】
本発明は、請求項１の上位概念部に詳細に定義される形式の、電気的コンポーネントを備えるアクチュエータ技術によって作動可能な少なくとも一つの接続要素を有するトランスミッション装置に関する。
【背景技術】
【０００２】
実勢からは、トランスミッション装置の摩擦クラッチの自動的な作動のための多くの実施形が公知である。これらは例えば、ハウジングに固定されたトランスミッションコンポーネントと回転するクラッチの間の、エネルギーおよび情報の伝達の形式および方式に関して分類可能である。自動切換ギアにおいては、クラッチは、しばしば機械的に作動し、その際軸方向の力は通常、軸方向に摺動可能なクラッチエンゲージベアリングまたはクラッチリリースベアリングを用いて、ハウジングに固定された作動装置から、回転するクラッチへと伝達される。
【０００３】
しかしその際、不利益であるのは、支承部の領域において回転数差が調整されなければならないこと、および各関係する軸方向力に応じて機械的損失が発生し、この損失が自動切換ギアの効率を損なってしまうことである。
【０００４】
オートマチックギアのマルチディスククラッチは、通常、液圧作動装置によって望まれる状況で作動され、その際、このために通常はハウジング側に発生された液圧的圧力が、いわゆる回転オイルの供給によって、クラッチと共に回転する液圧シリンダーに供給される。  
【０００５】
このようなトランスミッション装置の運転中には、回転オイル供給のシール接触の各領域中に摩擦が発生し、この摩擦が、スリップモーメントとして、トランスミッション装置の効率を悪化させる。その上、シール接触の各領域中に発生する摩擦熱は、所定のリーク・フルードボリューム流によって取り除かれるが、しかしこれはトランスミッション装置の液圧ポンプの追加的なポンプ性能によってのみ供給可能である。しかしここでも、追加的に調達しなければならないポンプ性能は、トランスミッション装置の効率を損ない、このことは望まれていない。
【０００６】
上述したスリップモーメントを減少させるために、トランスミッション装置の接続要素に、電磁的作動装置が付設される。この電磁的作動装置においては、通常、それぞれハウジング側に設けられる通電コイルが、その磁場によって、共に回転しかつ軸方向に可動なクラッチ部材を、望ましい状況へと動かす。
【０００７】
接続要素またはクラッチの電磁的作動は、しかし望まれないほどの高い電流消費を特徴としており、この電流消費は、車両のドライブトレインの不都合な運転状態中において、車両の電源系に場合によっては著しい負荷をかける。
【０００８】
少ない電流消費を特徴とするトランスミッション装置の接続要素の作動においては、マグネットや電気的機械などのような、トランスミッション軸と共に回転する電気的コントローラーが、ハウジングに固定された電源から、スリップリングを介して電力に応じて供給を受ける。
【０００９】
電流供給のために設けられたスリップリングは、しかし、望まれないほど大きな設置空間要求を伴い、および連続する摩擦負荷のために短い耐用寿命しか有していない。
【００１０】
特許文献１から、少なくとも一つの電気的コンポーネントを備えるアクチュエータ技術によって作動可能な、少なくとも一つの接続要素を有するトランスミッション装置が公知である。この電気的コンポーネントは、トランスミッション軸と接続されており、この電気的コンポーネントは、運転中にトランスミッション軸の回転数でもって回転し、および電気的な伝達装置によって、ハウジングに固定されて設けられる、トランスミッション装置の別のコンポーネントと相互作用関係にある。伝達装置によって電気的エネルギー及び／又はデータが、ハウジングに固定されて設けられる、トランスミッション装置のコンポーネントおよび、トランスミッション軸と接続される電気的コンポーネントの間で、誘導によって非接触式に交換可能である。
【００１１】
しかし、アクチュエータ技術は構造上費用の係る構造を備えており、および高い設置空間要求を有している。このような設置空間要求は、トランスミッション装置内では、制限のもとでのみ可能である。
【先行技術文献】
【特許文献】
【００１２】
【特許文献１】独国特許出願公開  第10 2006 049 275 A1号明細書
【発明の概要】
【発明が解決しようとする課題】
【００１３】
よって本発明の課題は、接続要素が、構造上簡単かつ設置空間の小さな形式および方式で高い効率を有して作動可能であるようなトランスミッション装置を提供することである。
【課題を解決するための手段】
【００１４】
この課題は、請求項１に記載の特徴を有するトランスミッション装置によって解決される。
【００１５】
少なくとも一つの電気的コンポーネントを備えるアクチュエータ技術によって作動可能な接続要素を有する本発明に従うトランスミッション装置においては、電気的コンポーネントが、トランスミッション軸と接続されており、運転中においてはトランスミッション軸の回転数でもって回転し、および電気的な伝達手段によって、トランスミッション装置の別のコンポーネントと相互作用関係にある。伝達装置によって、少なくとも電気的なエネルギーが、トランスミッション装置のコンポーネント、およびトランスミッション軸と接続される少なくとも一つの電気的コンポーネントの間で誘導的に交換可能であり、特に、位置固定の部材から回転する部材の方向へと伝達可能である。
【００１６】
発明に従い、電気的コンポーネントによって、接続要素を作動するための液圧的作動圧力が発生可能である。接続要素の液圧的作動は、簡単な形式および方式で、アクチュエータ技術を構造上簡単かつ設置空間も少なく実施する可能性を提供する。というのは、接続要素を作動圧力でもって付勢する液圧的伝達経路は、基本的に、少なく設置空間しか必要としない液圧配管のみを有しており、この液圧配管は、すでに存在しているトランスミッション装置の構造要素を通りぬけて設けることが出来るからである。
【００１７】
本発明に係るトランスミッション装置の構造上簡単かつコスト面で有利な改良形においては、電気的コンポーネントが、ポンプ装置を駆動する電気的機械を有している。これらは、更に有利な実施形において、電気的コンポーネントを、より少ないエネルギー消費およびより少ない設置空間要求ならびにより低いエネルギー要求で運転することができるように、トランスミッション設備を介して互いに接続されている。
【００１８】
本発明に係るトランスミッション装置の同様に構造上簡単でコスト面でも有利な実施形は、ポンプ装置によって形成されており、このポンプ装置は、ピストン要素室内で軸方向に摺動可能な少なくとも一つのピストン要素を備えている。このピストン要素は、駆動力変換装置によって、接続要素のための作動圧力を提供する状況で作動可能である。駆動力変換装置の領域中では、電気的機械の回転駆動力が、ピストン要素の変換的駆動動作へと変換される。
【００１９】
駆動力変換装置のコスト面で有利に製造可能であり、および設置空間も少ない実施形は、スピンドル・ナット構造を有している。
【００２０】
アクチュエータ技術の電気的コンポーネントの熱的負荷を防止するために、本発明に係るトランスミッション装置の有利な実施形においては、少なくとも電気的コンポーネントと接続要素の間に、熱隔離装置が設けられている。
【００２１】
本発明の更なる利点および有利な改良形は、特許請求の範囲の記載および図面に基づいて原則を記載した実施例より生じる。
【図面の簡単な説明】
【００２２】
【図１】発明に従うトランスミッション装置の部分長手方向断面図
【図２】図１のトランスミッション装置の簡略横断方向断面図
【発明を実施するための形態】
【００２３】
図１には、トランスミッション入力側に設けられるデュアルクラッチ装置２を有する、説明されたトランスミッション装置１が部分断面図でもって表されている。デュアルクラッチ装置２は、第一の摩擦結合的な接続要素３と第二の摩擦結合的な接続要素４を有している。これらは電気的コンポーネント５を備えるアクエチュエータ技術６を介して、後に記載する形式および方式で作動可能である。
【００２４】
内燃機関のトルクを、トランスミッション装置１の第一または第二の各エネルギー経路を介してトランスミッション入力からトランスミッション出口の方へと導くことができるように、詳細には図示されていない車両ドライブトレインの内燃機関のクランク軸２８は、デュアルクラッチ技術２によって、第一のトランスミッション入力軸２９または第二のトランスミッション入力軸３０と交互に相互作用関係にもたらすことができる。内燃機関の回転整合性を減少するために、クランク軸２８とトランスミッション軸７の間には、ねじれ振動緩衝装置３１が設けられている。
【００２５】
この場合に、電気的コンポーネント５は、二つの電気的機械５Ａ，５Ｂを有しており、これらは、トランスミッション軸７によって回転不能に接続されており、運転中はトランスミッション軸７の回転数で回転し、および電気的な伝達装置８を介してトランスミッション装置１の別のコンポーネントと相互作用関係にある。つまり、好ましくはハウジングに固定されて設けられるトランスミッション装置１の部材、およびトランスミッション軸７に回転不能に接続される電気的機械５Ａ，５Ｂの間のエネルギー伝達および制御信号伝達またはデータ伝達は、この場合、誘導に基づいて働く伝達装置８によって行われる。
【００２６】
誘導的な伝達装置８を介して、電気的機械５Ａおよび５Ｂの駆動に必要な駆動エネルギーも、必要な制御信号も、つまり目標値および現状値が、ハウジングに固定されたトランスミッション装置１の部材と、および好ましくはトランスミッション装置１の回転可能な別のトランスミッション要素と、非接触式に双方向で交換可能である。
【００２７】
回転伝達部を意味する伝達装置８は、この場合、少ない設置空間でデュアルクラッチ装置２の内部に設けられる。その上、ハウジングに固定された、伝達装置８の部材８Ａは、延長要素３７を介して、ハウジングに固定された部材３８内に支承されており、この部材の他方の端部が、支承装置３９を介してデュアルクラッチ装置２内に支承されている。まず、延長要素３７はセントラルホール４０を有して形成され、このセントラルホール内では、詳細には図示されていない電気的接続線が、伝達装置８と電源系および制御装置の間に案内可能である。
【００２８】
デュアルクラッチ装置２は、別の支承装置４１を介してトランスミッション入力軸３０に支承されるか、または図には詳細に表されていないトランスミッション装置の実施形においては、ハウジングに固定された部材に支承されている。追加的に、デュアルクラッチ装置は、図においては簡略的にのみ表されたパイロット支承部４２によってクランク軸２８に支承されている。
【００２９】
図では詳細に表されていないトランスミッション装置の別の実施形においては、デュアルクラッチ装置の接続要素の作動は、各補正ばねによって補助されており、および接続要素は、ドライクラッチまたはオイル冷却クラッチとして形成される。その上、接続要素は、圧力の無い状態で、つまり作動圧力がゼロの状態で、接続要素が完全に開いているかまたは完全に閉じているよう、それぞれ設けられるという可能性が存在する。
【００３０】
制御信号の誘導的な伝達の代替として、トランスミッション装置１の別の実施形では、制御信号が、容量性、光学式、または他の非接触の伝達路によって、トランスミッション装置７とともに回転するアクチュエータ技術の電気的コンポーネントと、ハウジングに固定されたトランスミッション装置１の部材、及び／又はアクチュエータ技術の電気的コンポーネントに対して回転数差を有して回転する、トランスミッション装置１の部材の間で伝達される。
【００３１】
図２は、図１のトランスミッション装置１を、極めて簡略的に表した部分断面図である。これは、基本的に、アクチュエータ技術６のいくつかの構造要素のみを極めて簡略的に表している。図２からは、アクチュエータ技術６が、基本的に同一の二つの部分領域を有し、これらがそれぞれ、電気的機械５Ａおよび５Ｂとポンプ装置９Ａ，９Ｂを有し、これらが同様にトランスミッション軸７と回転不能に接続されていることがわかる。電気的機械５Ａ，５Ｂおよびポンプ装置９Ａおよび９Ｂの隣には、アクチュエータ技術の同じ構造の部材が、それぞれ、液圧フルードリザーバー１０Ａ，１０Ｂおよび電気的機械５Ａ，５Ｂに付設されており、およびトランスミッション軸７と回転不能に接続される電子モジュール１１Ａおよび１１Ｂを形成する。
【００３２】
アクチュエータ技術６は、この場合、ハウジングに固定されたエネルギー源から、つまり車両の電源系から、伝達装置８を介して電気的エネルギーを非接触式に供給される。追加的に、電子モジュール１１Ａおよび１１Ｂが、デュアルクラッチ装置２の運転状態に応じた作動のために、電気的伝達装置８を介して制御装置（この場合トランスミッション装置１のトランスミッション制御装置）から、制御データおよび調整データを供給される。その際、データ交換は、双方向で、つまりアクチュエータ技術から出発して制御装置の方向へも行われる。
【００３３】
電気的機械５Ａ，５Ｂは、エンジン出力軸１２Ａ，１２Ｂによって電気的機械５Ａ，５Ｂに接続される歯車１３Ａ，１３Ｂ（これら歯車はそれぞれポンプ歯車１４Ａ，１４Ｂともかみ合っている）を介して、ポンプ装置９Ａ，９Ｂと相互作用している。その際、歯車１３Ａ，１３Ｂおよびポンプ歯車１４Ａ，１４Ｂは、電気的機械５Ａ，５Ｂおよびポンプ装置９Ａ，９Ｂの間の各トランスミッション設備を意味する。
【００３４】
ポンプ装置９Ａ，９Ｂは、それぞれ、ピストン要素室１７内で軸方向に摺動可能なピストン要素１８Ａ、１８Ｂを備えており、これらはそれぞれ、図１においては詳細に表されている駆動力変換装置１９に相当する駆動力変換装置１９によって、接続要素３または接続要素４のための作動圧力を提供する状況で作動可能である。その際、駆動力変換装置１９のうちの一つの領域中において、電気的機械５Ａおよび５Ｂの各回転駆動力が、それぞれ、ピストン要素１８Ａまたはピストン要素１８Ｂの変換的な駆動動作へと変換可能である。
【００３５】
駆動力変換装置１９は、この場合、スピンドル・ナット構造として形成され、その際、ポンプ歯車１４Ａ，１４Ｂは、ピストン要素１８Ａ，１８Ｂの内部でこれと同軸に設けられるスピンドル２１とそれぞれ回転不能に接続される。ピストン要素１８Ａおよび１８Ｂは、ポンプ装置９Ａおよび９Ｂのスピンドル・ナット構造の各ナットを表している。スピンドル・ナット構造のセルフロック式のデザインによって、摩擦クラッチを電流無しで所定の伝達可能トルクに保持することが可能である。
【００３６】
図においては、駆動力伝達装置１９は、単にアクチュエータ技術６の、電気的機械５Ａを有する部材のスピンドル２１を意味しており、よって以下のアクチュエータ技術６の機能の説明においては、基本的にアクチュエータ駆動力変換装置１９を有する、アクチュエータ技術の部材が指される。
【００３７】
駆動力変換装置１９のスピンドル２１は、電気的機械５Ａの回転駆動力が、ピストン要素室１７の容量を小さくする第一の回転方向、およびこれと対向する、ピストン要素室１７の容量を大きくする電気的機械５の第二の回転方向へと案内されるよう、ねじ山２２を介してピストン要素１８Ａと相互作用する。ポンプ装置１９Ａのピストン要素室１７は、この場合、デュアルクラッチ装置１の接続要素３のピストン圧力室と接続されている。同時に、第二の接続要素４を第一の接続要素３と同様の形式および方式で作動させることができるように、図には詳細に表されていないポンプ装置９Ｂのピストン要素室も、接続要素４のピストン圧力室２４と接続されている。
【００３８】
ポンプ装置９Ａのピストン要素室１７の縮小の際、またはポンプ装置９Ｂのピストン要素室の容量減少の際には、接続要素３または４のピストン圧力室２３または２４内の各圧力が高められる。これによって接続要素３および４の伝達能力は、接続要素３および４を介して基本的にトルクが案内されない完全に開かれた運転状態と、関係する各トルクが、トルク限界まで完全に伝達可能である、完全に閉じられた運転状態の間で望ましい状況に無段階に変更可能である。
【００３９】
接続要素３，４の作動ピストン２５，２６の間には、一つの共通な圧力バランス室２７が設けられている。この圧力バランス室は、ポンプ装置９Ａ，９Ｂのピストン要素室１７の隣で、液圧フルードリザーバー１０Ａ，１０Ｂと接続されており、ピストン圧力室２３または２４から圧力バランス室２７の方向へのリーク流に基づく圧力上昇であって、接続要素３または接続要素４の機能を損なう圧力上昇を簡単な形式および方式で防止する。
【００４０】
デュアルクラッチ装置２は、セントラルプレート３２を有して形成されており、このセントラルプレートは、第一の接続要素３および第二の接続要素４のためのストッパー要素を意味する。第一の接続要素３の作動ピストン２５は、第一の接続要素の押圧プレート３３と相互作用しており、およびピストン圧力室２３内の適切な圧力で、押圧プレート３３とセントラルプレート３２の間に設けられる、第一の接続要素のライニングディスク３４をセントラルプレート３２に対して押さえつけ、第一の接続要素３３の伝達能力を、トランスミッション装置１の存在する各運転状態に応じて、および対応する制御装置側の設定に応じて調節する。
【００４１】
第二の接続要素４の作動ピストン２６は、第二の接続要素４のピストン圧力室２４内の適当な作動圧力において、相応する押圧力を押圧プレートに及ぼす。この押圧プレートは、セントラルプレート３２と押圧プレート３５の間に設けられる、第二の接続要素４のライニングディスク３６をセントラルプレート３２に対して押さえつけ、要求される各伝達能力を有する接続要素４を表す。
【００４２】
第一の接続要素３も第二の接続要素４も関係する各作動力に応じて、またはこれと同等の作動値に応じて調整して作動される。その際、各関係する作動力を検出するために、それぞれ力センサーまたは圧力センサーが、アクチュエータ技術６の作動チェーンの中に設けられている。
【００４３】
アクチュエータ技術のポンプ装置９Ａおよび９Ｂのピストン要素室１７は、ピストン要素室１７の圧力の無い各運転状態において、液圧フルードが、液圧フルードリザーバー１０Ａ，１０Ｂから、ピストン作動室１７に流れ込むことが出来るように、付設される液圧フルードリザーバー１０Ａおよび１０Ｂとそれぞれ接続される。
【００４４】
本発明に係るトランスミッション装置は、ハウジングに固定された構造要素から回転する構造要素へのエネルギー伝達が、基本的にスリップモーメントや磨耗無く実施可能であるというメリットを有する。更に、本発明に係るトランスミッション装置は、コンパクトな構造を有する。というのは、接続要素の作動のために設けられるアクチュエータ技術が、接続要素自体の中、または接続要素が設けられるトランスミッション軸の中に統合されているからである。この実施形は、接続要素が、軸方向力無く外から内へと表すことを可能とする。
【００４５】
更に、少ない設置空間でかつ構造上も簡単に実装される本発明に係るトランスミッション装置は、実践において公知の各トランスミッション装置に比較して、より良好な効率で運転可能である。これは特に、アクチュエータ技術が、一または複数の接続要素の作動の間のみ、エネルギーを供給されなければならないという結果を生む。アクチュエータ技術を介して調整された一または複数の接続要素の伝達能力を維持するために、基本的にエネルギーは費やされない。というのは、アクチュエータ技術の液圧的作動経路は、一つの閉じられたシステムを表しており、このシステムは、運転中にエネルギー効率のよい、いわゆるオンデマンドのエネルギー消費のみを必要としているからである。
【符号の説明】
【００４６】
1          トランスミッション装置
2          デュアルクラッチ装置
3          摩擦結合的な第一の接続要素
4          摩擦結合的な第二の接続要素
5          アクチュエータ技術の電気的コンポーネント
5A, 5B          電気的機械 
6          アクチュエータ技術
7          トランスミッション軸
8          電気的伝達装置
8A          ハウジングに固定された、伝達装置の部材
9A, B          ポンプ装置
10A, B          液圧フルードリザーバー
11A, B          電子モジュール
12A, B          電気的機械のエンジン出力軸
13A, B          歯車
14A, B          ポンプ歯車
15, 16          トランスミッション設備
17          ピストン要素室
18A, B          ピストン要素
19          駆動力変換装置、スピンドル・ナット構造
21          スピンドル
22          ねじ山
23, 24          ピストン圧力室
25, 26          作動ピストン
27          圧力バランス室
28          クランク軸
29          第一のトランスミッション入力軸
30          第二のトランスミッション入力軸
31          ねじれ振動緩衝装置
32          セントラルプレート
33          第一の接続要素の押圧プレート
34          第二の接続要素のライニングディスク
35          第二の接続要素の押圧プレート
36          第二の接続要素ライニングディスク
37          延長要素
38          ハウジングに固定された部材
39          支承装置
40          セントラルホール
41          別の支承装置
42          パイロット支承部
【図１】
0005553457.tif 000002
【図２】
0005553457.tif 000003